(57)【要約】【課題】カラーブレークを抑制可能な表示装置を提供する。【解決手段】表示装置は、対向する２枚の基板の間に液晶が封入され、複数のライン画像を走査方向に並べてフレーム画像を表示させる表示パネルと、表示パネルに光を照射する光源とを備え、１つのフレーム画像に対して割り当てられる１フレーム期間は、２以上の自然数である所定数のサブフレーム期間を含み、サブフレーム期間は、ライン画像の書込期間と光源からの光が照射される表示期間とを含み、書込期間に所定数ライン単位でライン画像が書き込まれ、所定数ライン単位で１度に書き込まれるライン画像は同一のライン画像であり、１フレーム期間内で連続する２サブフレーム期間の各々の書込期間で異なる画素信号に基づいたライン画像の書き込みの開始位置が１ラインずれる。【選択図】図３
2020204693.tif 000002
【特許請求の範囲】
【請求項１】
対向する２枚の基板の間に液晶が封入され、複数のライン画像を走査方向に並べてフレーム画像を表示させる表示パネルと、
前記表示パネルに光を照射する光源とを備え、
１つの前記フレーム画像に対して割り当てられる１フレーム期間は、２以上の自然数である所定数のサブフレーム期間を含み、
前記サブフレーム期間は、前記ライン画像の書込期間と前記光源からの光が照射される表示期間とを含み、
前記書込期間に前記所定数ライン単位で前記ライン画像が書き込まれ、
前記所定数ライン単位で１度に書き込まれるライン画像は同一のライン画像であり、
前記１フレーム期間内で連続する２サブフレーム期間において、前のサブフレーム期間の前記書込期間に書き込むライン画像と、後のサブフレーム期間の前記書込期間に書き込むライン画像とが異なる場合、当該前のサブフレーム期間の前記書込期間の開始位置と当該後のサブフレーム期間の前記書込期間の開始位置とが１ラインずれる
表示装置。
【請求項２】
前記１フレーム期間内で連続する２サブフレーム期間のうち後のサブフレーム期間は、開始位置よりも前記走査方向の上流側に位置する前記ライン画像が、当該２サブフレーム期間のうち前のサブフレーム期間に書き込まれた前記ライン画像と同一のライン画像である
請求項１に記載の表示装置。
【請求項３】
前記光源は、個別に点灯期間を制御可能な複数の色の光源を含み、
前記サブフレーム期間は、前記複数の色毎に設けられた複数のフィールド期間を含み、
１フィールド期間は、前記書込期間と前記表示期間とを含む
請求項１又は２に記載の表示装置。
【請求項４】
前記フィールド期間周期で前記２枚の基板間の電界の極性が反転する
請求項３に記載の表示装置。
【請求項５】
前記極性の反転前後で前記光源の点灯量が異なる
請求項４に記載の表示装置。
【請求項６】
連続する２フィールド期間のうち一方の前記液晶による光の散乱度合いが他方よりも強い場合、前記一方の前記光源の点灯量を前記他方よりも弱くする
請求項５に記載の表示装置。
【請求項７】
所定期間周期で前記２枚の基板間の電界の極性が反転する
請求項１から３のいずれか一項に記載の表示装置。
【請求項８】
前記所定期間は、前記サブフレーム期間である
請求項７に記載の表示装置。
【請求項９】
対向する２枚の基板の間に液晶が封入され、複数のライン画像を走査方向に並べてフレーム画像を表示させる表示パネルと、
前記表示パネルに光を照射する光源とを備え、
１つの前記フレーム画像に対して割り当てられる１フレーム期間は、２以上の自然数である所定数のサブフレーム期間を含み、
前記光源は、個別に点灯期間を制御可能な複数の色の光源を含み、
前記サブフレーム期間は、前記複数の色毎に設けられた複数のフィールド期間を含み、
１フィールド期間は、前記ライン画像の書込期間と前記光源からの光が照射される表示期間とを含み、
前記書込期間に前記所定数ライン単位で前記ライン画像が書き込まれ、
前記所定数ライン単位で１度に書き込まれるライン画像は同一のライン画像であり、
連続する２フィールド期間において、前のフィールド期間の前記書込期間に書き込むライン画像と、後のフィールド期間の前記書込期間に書き込むライン画像とが異なる場合、当該前のフィールド期間の前記書込期間の開始位置と当該後のフィールド期間の前記書込期間の開始位置とが１ラインずれ、
前記フィールド期間周期で前記２枚の基板間の電界の極性が反転する
表示装置。
【請求項１０】
対向する２枚の基板の間に液晶が封入され、複数のライン画像を走査方向に並べてフレーム画像を表示させる表示パネルと、
前記表示パネルに光を照射する光源とを備え、
１つの前記フレーム画像に対して割り当てられる１フレーム期間は、２以上の自然数である所定数のサブフレーム期間を含み、
前記光源は、個別に点灯期間を制御可能な複数の色の光源を含み、
前記サブフレーム期間は、前記複数の色毎に設けられた複数のフィールド期間を含み、
１フィールド期間は、前記ライン画像の書込期間と前記光源からの光が照射される表示期間とを含み、
前記書込期間に前記所定数ライン単位で前記ライン画像が書き込まれ、
前記所定数ライン単位で１度に書き込まれるライン画像は同一のライン画像であり、
連続する２フィールド期間において、前のフィールド期間の前記書込期間に書き込むライン画像と、後のフィールド期間の前記書込期間に書き込むライン画像とが異なる場合、当該前のフィールド期間の前記書込期間の開始位置と当該後のフィールド期間の前記書込期間の開始位置とが１ラインずれ、
２フィールド期間周期で前記２枚の基板間の電界の極性が反転する
表示装置。
【発明の詳細な説明】
【技術分野】
【０００１】
本発明は、表示装置に関する。
【背景技術】
【０００２】
同一画素から複数色の光をそれぞれ異なるタイミングで透過させるように画素を制御する（フィールドシーケンシャル）液晶表示装置が知られている（例えば、特許文献１）。
【先行技術文献】
【特許文献】
【０００３】
【特許文献１】特開２０１０−０９７４２０号公報
【発明の概要】
【発明が解決しようとする課題】
【０００４】
フィールドシーケンシャルの表示装置において、ヒトの視認能力に対してフレームレートが低いと、カラーブレークと呼ばれる本来ならば意図しない色の変化が視認されることがある。
【０００５】
本発明は、上記の課題に鑑みてなされたもので、カラーブレークを抑制可能な表示装置を提供することを目的とする。
【課題を解決するための手段】
【０００６】
本発明の一態様による表示装置は、対向する２枚の基板の間に液晶が封入され、複数のライン画像を走査方向に並べてフレーム画像を表示させる表示パネルと、前記表示パネルに光を照射する光源とを備え、１つの前記フレーム画像に対して割り当てられる１フレーム期間は、２以上の自然数である所定数のサブフレーム期間を含み、前記サブフレーム期間は、前記ライン画像の書込期間と前記光源からの光が照射される表示期間とを含み、前記書込期間に前記所定数ライン単位で前記ライン画像が書き込まれ、前記所定数ライン単位で１度に書き込まれるライン画像は同一のライン画像であり、前記１フレーム期間内で連続する２サブフレーム期間において、前のサブフレーム期間の前記書込期間に書き込むライン画像と、後のサブフレーム期間の前記書込期間に書き込むライン画像とが異なる場合、当該前のサブフレーム期間の前記書込期間の開始位置と当該後のサブフレーム期間の前記書込期間の開始位置とが１ラインずれる。
【０００７】
本発明の一態様による表示装置は、対向する２枚の基板の間に液晶が封入され、複数のライン画像を走査方向に並べてフレーム画像を表示させる表示パネルと、前記表示パネルに光を照射する光源とを備え、１つの前記フレーム画像に対して割り当てられる１フレーム期間は、２以上の自然数である所定数のサブフレーム期間を含み、前記光源は、個別に点灯期間を制御可能な複数の色の光源を含み、前記サブフレーム期間は、前記複数の色毎に設けられた複数のフィールド期間を含み、１フィールド期間は、前記ライン画像の書込期間と前記光源からの光が照射される表示期間とを含み、前記書込期間に前記所定数ライン単位で前記ライン画像が書き込まれ、前記所定数ライン単位で１度に書き込まれるライン画像は同一のライン画像であり、連続する２フィールド期間において、前のフィールド期間の前記書込期間に書き込むライン画像と、後のフィールド期間の前記書込期間に書き込むライン画像とが異なる場合、当該前のフィールド期間の前記書込期間の開始位置と当該後のフィールド期間の前記書込期間の開始位置とが１ラインずれ、前記フィールド期間周期で前記２枚の基板間の電界の極性が反転する。
【０００８】
本発明の一態様による表示装置は、対向する２枚の基板の間に液晶が封入され、複数のライン画像を走査方向に並べてフレーム画像を表示させる表示パネルと、前記表示パネルに光を照射する光源とを備え、１つの前記フレーム画像に対して割り当てられる１フレーム期間は、２以上の自然数である所定数のサブフレーム期間を含み、前記光源は、個別に点灯期間を制御可能な複数の色の光源を含み、前記サブフレーム期間は、前記複数の色毎に設けられた複数のフィールド期間を含み、１フィールド期間は、前記ライン画像の書込期間と前記光源からの光が照射される表示期間とを含み、前記書込期間に前記所定数ライン単位で前記ライン画像が書き込まれ、前記所定数ライン単位で１度に書き込まれるライン画像は同一のライン画像であり、連続する２フィールド期間において、前のフィールド期間の前記書込期間に書き込むライン画像と、後のフィールド期間の前記書込期間に書き込むライン画像とが異なる場合、当該前のフィールド期間の前記書込期間の開始位置と当該後のフィールド期間の前記書込期間の開始位置とが１ラインずれ、２フィールド期間周期で前記２枚の基板間の電界の極性が反転する。
【図面の簡単な説明】
【０００９】
【図１】図１は、表示システムの主要構成を示す模式的な回路図である。
【図２】図２は、液晶表示パネルの概略断面図である。
【図３】図３は、実施形態１のフィールドシーケンシャル制御の流れの一例を示すタイミングチャートである。
【図４】図４は、実施形態１においてフレーム期間ＦＬ中に各画素行で表示出力されるライン画像の成分を示す表図である。
【図５】図５は、カラーブレークの発生に関するテストパターンの説明図である。
【図６】図６は、フレームレートとＲＧＢ光源点灯周波数とカラーブレーク指数との関係の一例を示す表図である。
【図７】図７は、実施形態１におけるモード毎の輝度指標と光源１１の点灯量との関係を示す表図である。
【図８】図８は、実施形態２のフィールドシーケンシャル制御の流れの一例を示すタイミングチャートである。
【図９】図９は、実施形態２におけるモード毎の輝度指標と光源１１の点灯量との関係を示す表図である。
【図１０】図１０は、実施形態３のフィールドシーケンシャル制御の流れの一例を示すタイミングチャートである。
【図１１】図１１は、実施形態４のフィールドシーケンシャル制御の流れの一例を示すタイミングチャートである。
【図１２】図１２は、実施形態４のフィールドシーケンシャル制御の流れの一例を示すタイミングチャートである。
【図１３】図１３は、実施形態４におけるモード毎の輝度指標と光源１１の点灯量との関係を示す表図である。
【図１４】図１４は、実施形態４におけるモード毎の輝度指標と光源１１の点灯量との関係を示す表図である。
【図１５】図１５は、３サブフレーム期間を含むフィールドシーケンシャル制御の流れの一例を示すタイミングチャートである。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態１）
図１は、表示装置１００の主要構成を示す模式的な回路図である。表示装置１００は、液晶表示パネルＰと、光源装置Ｌとを備える。液晶表示パネルＰは、表示部７と、信号出力回路８と、走査回路９と、ＶＣＯＭ駆動回路１０と、タイミングコントローラ１３と、電源回路１４とを備える。以下、表示部７が面する液晶表示パネルＰの一面を表示面とし、他面を背面とする。また、表示装置１００の側方と記載した場合、表示装置１００を基準として表示面と背面との対向方向に交差（例えば、直交）する方向に位置する。
【００１２】
表示部７には、複数の画素Ｐｉｘがマトリクス状に配置されている。画素Ｐｉｘは、スイッチング素子１と、２つの電極とを含む。図１及び後述する図２では、２つの電極として、画素電極２と、共通電極６とを図示している。
【００１３】
図２は、液晶表示パネルＰの概略断面図である。液晶表示パネルＰは、対向する２枚の基板と、当該２枚の基板の間に封入された液晶３を有する。以下、当該２枚の基板の一方を第１基板３０とし、他方を第２基板２０とする。
【００１４】
第１基板３０は、透光性のガラス基板３５と、ガラス基板３５の第２基板２０側に積層された画素電極２と、画素電極２を覆うように第２基板２０側に積層された絶縁層５５とを含む。画素電極２は、画素Ｐｉｘ毎に個別に設けられる。第２基板２０は、透光性のガラス基板２１と、ガラス基板２１の第１基板３０側に積層された共通電極６と、共通電極６を覆うように第１基板３０側に積層された絶縁層５６とを含む。共通電極６は、複数の画素Ｐｉｘで共有される板状又は膜状の形状を有する。
【００１５】
実施形態１の液晶３は、高分子分散型液晶である。具体的には、液晶３は、バルク５１と、微粒子５２とを含む。微粒子５２は、バルク５１内で画素電極２と共通電極６との電位差に応じて配向が変化する。画素Ｐｉｘ毎に画素電極２の電位が個別に制御されることで、画素Ｐｉｘ毎に少なくとも透光及び分散のいずれかの度合いが制御される。
【００１６】
図２を参照して説明した実施形態１では、画素電極２と共通電極６は、液晶３を挟むように対向するが、液晶表示パネルＰは、１つの基板に画素電極２と共通電極６が設けられて画素電極２と共通電極６によって発生する電界によって液晶３の配向が制御される構成であってもよい。また、液晶３は高分子分散型液晶以外の液晶でもよい。
【００１７】
次に、画素電極２及び共通電極６の電位を制御する仕組みについて説明する。図１に示すようにスイッチング素子１は、例えば薄膜トランジスタ（ＴＦＴ：Thin  Film  Transistor）等、半導体を用いたスイッチング素子である。スイッチング素子１のソース又はドレインの一方は、２つの電極の一方（画素電極２）と接続される。スイッチング素子１のソース又はドレインの他方が信号線４と接続される。スイッチング素子１のゲートは、走査線５と接続される。走査線５は、走査回路９の制御下で、スイッチング素子１のソース−ドレイン間を開閉するための電位を与える。当該電位の制御は、走査回路９が行う。
【００１８】
図１に示す例では、複数の信号線４は、画素Ｐｉｘの並び方向のうち一方（行方向）に沿って並ぶ。信号線４は、画素Ｐｉｘの並び方向のうち他方（列方向）に沿って延出する。信号線４は、列方向に並ぶ複数の画素Ｐｉｘのスイッチング素子１で共有される。複数の走査線５は、列方向に沿って並ぶ。走査線５は、行方向に沿って延出する。走査線５は、行方向に並ぶ複数の画素Ｐｉｘのスイッチング素子１で共有される。
【００１９】
共通電極６は、ＶＣＯＭ駆動回路１０と接続される。ＶＣＯＭ駆動回路１０は、共通電極６に共通電位として機能する電位を与える。走査回路９が走査線５に対して駆動信号として機能する電位を与えるタイミングで、信号出力回路８が信号線４に対して後述する階調信号を出力することで、画素電極２と共通電極６との間に形成された蓄積容量と容量性負荷である液晶（微粒子５２）を充電する。これによって、画素Ｐｉｘの電圧は階調信号に対応した電圧となる。駆動信号が与えられなくなった後、蓄積容量と容量性負荷である液晶（微粒子５２）は階調信号を保持する。液晶（微粒子５２）の配向は、各画素Ｐｉｘの電圧と共通電極６の電圧によって生じる電界に応じて制御される。
【００２０】
図２に示すように、液晶表示パネルＰの側方には、光源１１が配置されている。光源１１は、赤色の光を発する第１光源１１Ｒと、緑色の光を発する第２光源１１Ｇと、青色の光を発する第３光源１１Ｂと、を有する。第１光源１１Ｒ、第２光源１１Ｇ、第３光源１１Ｂはそれぞれ、光源駆動回路１２の制御下で発光する。実施形態１の第１光源１１Ｒ、第２光源１１Ｇ及び第３光源１１Ｂは、例えば発光ダイオード（ＬＥＤ：Light  Emitting  Diode）のような発光素子を用いた光源であるが、これに限られるものでなく、発光タイミングを制御可能な光源であればよい。光源駆動回路１２は、タイミングコントローラ１３の制御下で第１光源１１Ｒ、第２光源１１Ｇ、第３光源１１Ｂの発光タイミングを制御する。
【００２１】
タイミングコントローラ１３は、信号出力回路８、走査回路９、ＶＣＯＭ駆動回路１０及び光源駆動回路１２の動作タイミングを制御する。実施形態１では、フィールドシーケンシャル制御が行われる。
【００２２】
図３は、実施形態１のフィールドシーケンシャル制御の流れの一例を示すタイミングチャートである。図３は、フレーム期間ＦＬとサブフレーム期間（第１サブフレーム期間ＳＦＬ１、第２サブフレーム期間ＳＦＬ２）とフィールド期間ＦＩ１１，ＦＩ１２，ＦＩ１３，ＦＩ２１，ＦＩ２２，ＦＩ２３との関係を示している。また、図３は、フィールド期間ＦＩ１１，ＦＩ１２，ＦＩ１３，ＦＩ２１，ＦＩ２２，ＦＩ２３の各々の光源１１（第１光源１１Ｒ、第２光源１１Ｇ及び第３光源１１Ｂ）の点灯タイミング、信号線４及び走査線５に対する信号制御、ＶＣＯＭ駆動回路１０によって共通電極６に与えられる電位（共通電位）及び画素電極２と共通電極６との電位差（極性）に応じて決定するモードを示している。図３等のタイミングチャートでは、１フレーム期間ＦＬを例示的に示しているが、実際には同様のフレーム期間ＦＬが周期的に繰り返される。
【００２３】
フレーム期間ＦＬは、フレーム画像の表示に係る期間である。１フレーム期間ＦＬに、１つのフレーム画像が表示される。実施形態１では、１フレーム期間ＦＬに、第１サブフレーム期間ＳＦＬ１と第２サブフレーム期間ＳＦＬ２の２サブフレーム期間が含まれる。
【００２４】
実施形態１では、各サブフレーム期間は、フィールド期間を含む。図３等では、第１サブフレーム期間ＳＦＬ１に含まれる３つのフィールド期間ＦＩ１１，ＦＩ１２，ＦＩ１３と、第２サブフレーム期間ＳＦＬ２に含まれる３つのフィールド期間ＦＩ２１，ＦＩ２２，ＦＩ２３とを例示している。
【００２５】
１サブフレーム期間に含まれるフィールド期間の数は、光源１１の色数に対応する。実施形態１では、第１光源１１Ｒ、第２光源１１Ｇ及び第３光源１１Ｂを含む光源１１の色数が３である。従って、実施形態１の１サブフレーム期間は、３フィールド期間を含む。実施形態１における光源１１の色数ならびに色の種類及び１サブフレーム期間に含まれるフィールド期間の数はあくまで一例であってこれに限られるものでなく、適宜変更可能である。
【００２６】
表示装置１００は、表示部７に設けられた複数の画素Ｐｉｘに対する階調信号の書込期間と、階調信号の保持期間とを交互に生じさせ、当該保持期間に光源１１を点灯させることで画像を表示する。以下、単に書込期間と記載した場合、表示部７に設けられた複数の画素Ｐｉｘに対する階調信号の書込期間をさす。また、単に保持期間と記載した場合、表示部７に設けられた複数の画素Ｐｉｘに対する階調信号の書込期間をさす。
【００２７】
書込期間は、走査回路９による走査線５への駆動信号の出力によって画素Ｐｉｘに設けられたＴＦＴをオンさせるとともに信号出力回路８による信号線４への階調信号の出力によって画素Ｐｉｘに階調信号を書き込む信号制御が行われる期間である。保持期間は、ＴＦＴが全てオフし、書込期間に書き込まれた電圧を保持する信号制御が行われる期間である。各フィールド期間は、書込期間と、書込期間後の保持期間とを含む。
【００２８】
図３における書込（Ｒ＋）は、フィールド期間ＦＩ１１の書込期間である。保持（Ｒ＋）は、フィールド期間ＦＩ１１の保持期間である。書込（Ｇ＋）は、フィールド期間ＦＩ１２の書込期間である。保持（Ｇ＋）は、フィールド期間ＦＩ１２の保持期間である。書込（Ｂ＋）は、フィールド期間ＦＩ１３の書込期間である。保持（Ｂ＋）は、フィールド期間ＦＩ１３の保持期間である。書込（Ｒ−）は、フィールド期間ＦＩ２１の書込期間である。保持（Ｒ−）は、フィールド期間ＦＩ２１の保持期間である。書込（Ｇ−）は、フィールド期間ＦＩ２２の書込期間である。保持（Ｇ−）は、フィールド期間ＦＩ２２の保持期間である。書込（Ｂ−）は、フィールド期間ＦＩ２３の書込期間である。保持（Ｂ−）は、フィールド期間ＦＩ２３の保持期間である。
【００２９】
実施形態１では、１サブフレーム期間内の各フィールド期間でそれぞれ異なる色の光源（例えば、第１光源１１Ｒ、第２光源１１Ｇ、第３光源１１Ｂ）を点灯させる時分割のカラー表示出力方式（ＦＳＣ：Field  Sequential  Color）が採用されている。
【００３０】
具体的には、実施形態１では、１サブフレーム期間に含まれる複数のフィールド期間の各々で、それぞれ異なる色の階調値に対応する階調信号が書き込まれる。例えば、１フレーム期間中にある１つの画素Ｐｉｘに割り当てられるＲＧＢの階調値を示す信号として表示装置１００の外部からの入力信号Ｉ（図１参照）に含まれる各画素Ｐｉｘに対する信号を画素信号とする。画素信号をＲＧＢの階調値で表した場合に（Ｒ，Ｇ，Ｂ）＝（ｒ１，ｇ１，ｂ１）であるとする。ｒ１は、ＲＧＢの階調値を示す情報を含む入力信号における赤色（Ｒ）の階調値である。ｇ１は、ＲＧＢの階調値を示す情報を含む入力信号における緑色（Ｇ）の階調値である。ｂ１は、ＲＧＢの階調値を示す情報を含む入力信号における青色（Ｂ）の階調値である。この場合、フィールド期間ＦＩ１１の書込期間に「ｒ１」の階調値に対応する階調信号が書き込まれる。また、フィールド期間ＦＩ１２の書込期間に「ｇ１」の階調値に対応する階調信号が書き込まれる。また、フィールド期間ＦＩ１３の書込期間に「ｂ１」の階調値に対応する階調信号が書き込まれる。各フィールド期間に含まれる保持期間では、このようにして書込期間に書き込まれたそれぞれ異なる色の階調値に対応する階調信号が保持される。このような各フィールド期間における階調信号の書き込み及び保持が、複数の画素Ｐｉｘの各々で個別に行われる。以上、第１サブフレーム期間ＳＦＬ１中の信号制御を例としてＦＳＣについて説明したが、第２サブフレーム期間ＳＦＬ２中のフィールド期間ＦＩ２１，ＦＩ２２，ＦＩ２３の各々の信号制御についても、第１サブフレーム期間ＳＦＬ１中のフィールド期間ＦＩ１１，ＦＩ１２，ＦＩ１３の各々の信号制御と同様である。
【００３１】
光源１１が有する複数の色の光源（例えば、第１光源１１Ｒ、第２光源１１Ｇ及び第３光源１１Ｂ）は、対応するフィールド期間の保持期間内に点灯するよう制御される。実施形態１では、第１光源１１Ｒは赤色の光源、第２光源１１Ｇは緑色の光源、第３光源１１Ｂは青色の光源である。図３等では、第１光源１１Ｒの点灯タイミングを「点灯（Ｒ）」で示している。また、図３等では、第２光源１１Ｇの点灯タイミングを「点灯（Ｇ）」で示している。また、図３等では、第３光源１１Ｂの点灯タイミングを「点灯（Ｂ）」で示している。このように、保持期間に光源１１が点灯することで画像が表示される。従って、保持期間は、画像の表示期間として機能する。
【００３２】
液晶を利用する液晶表示パネルＰでは、２つの電極の一方の電位と他方の電位との相対的な電位の高低を所定周期で反転させる反転駆動が行われる。図３等では、書込期間に行われる階調信号の書き込みによる画素電極２の電位と、共通電位、すなわち、ＶＣＯＭ駆動回路１０によって共通電極６に与えられる電位との相対的高低をプラス（＋）とマイナス（−）で示している。図３等では、相対的に高い電位をプラス（＋）とし、相対的に低い電位をマイナス（−）としている。
【００３３】
例えば、図３に示す第１サブフレーム期間ＳＦＬ１では、共通電位がマイナス（−）である。これに対し、第１サブフレーム期間ＳＦＬ１における各フィールド期間の書込期間（書込（Ｒ＋）、書込（Ｇ＋）、書込（Ｂ＋））及び保持期間（保持（Ｒ＋）、保持（Ｇ＋）、保持（Ｂ＋））は、マイナス（−）の共通電位に対して相対的に高いプラス（＋）であることが、括弧内の「＋」の符号で示されている。また、図３に示す第２サブフレーム期間ＳＦＬ２では、第１サブフレーム期間ＳＦＬ１に比してプラス（＋）とマイナス（−）が逆転していることが示されている。このように、実施形態１では、サブフレーム期間周期で、２枚の基板間の電界の極性（画素電極２と共通電極６との間の電界の極性）が反転する。
【００３４】
図３等では、画素電極２と共通電極６との間の電界の極性の関係において、画素電極２がプラス（＋）であって共通電極６がマイナス（−）である状態をポジ（Ｐ）とし、画素電極２がマイナス（−）であって共通電極６がプラス（＋）である状態をネガ（Ｎ）として示している。以降の説明でポジ（Ｐ）モード又はネガ（Ｎ）モードと記載した場合、係る画素電極２と共通電極６との間の電界の極性の関係を示す記載である。
【００３５】
なお、図３に示す例では、第１サブフレーム期間ＳＦＬ１がポジ（Ｐ）モードであり、第２サブフレーム期間ＳＦＬ２がネガ（Ｎ）モードであるが、モードとの順は逆であってもよい。すなわち、第１サブフレーム期間ＳＦＬ１がネガ（Ｎ）モードであり、第２サブフレーム期間ＳＦＬ２がポジ（Ｐ）モードであってもよい。
【００３６】
上述のように、書込期間には、走査回路９による走査線５への駆動信号の出力によって画素Ｐｉｘに設けられたＴＦＴをオンさせるとともに信号出力回路８による信号線４への階調信号の出力によって画素Ｐｉｘに階調信号を書き込む信号制御が行われる。従って、共通の走査線５に接続されて当該走査線５に対する駆動信号に応じて同時にオンされる画素行に含まれる複数のＰｉｘに対する階調信号の書き込みタイミングは同時になる。このように共通の走査線５に接続される画素行に書き込まれる画像をライン画像とすると、フレーム画像は、走査線５の並び方向に沿って並ぶ複数のライン画像により構成される。
【００３７】
また、共通の信号線４に接続される複数の画素Ｐｉｘは、それぞれ異なる走査線５に接続されている。ここで、複数の走査線５に同一のタイミングで駆動信号を与えることで、同時に駆動信号が与えられた複数の走査線５のいずれかに接続され、かつ、共通の信号線４に接続される複数の画素Ｐｉｘに対して、当該同一のタイミングで信号線４に与えられている階調信号を書き込むことができる。従って、同一タイミングに１度に複数の走査線５に駆動信号を与えて複数の画素行にライン画像を書き込んだ場合、１度に書き込まれる当該複数の画素行の各々のライン画像は同一のライン画像になる。ライン画像は、走査線５の延出方向（信号線４の並び方向）に沿って並ぶ複数の画素Ｐｉｘによって表示出力される画像である。
【００３８】
上述のように説明した信号線４と走査線５と画素Ｐｉｘとの関係に基づき、表示装置１００では、書込期間に所定数ライン単位でライン画像が書き込まれる。ここで、所定数ライン単位で１度に書き込まれる所定数のライン画像は同一のライン画像である。また、所定数は、２以上の自然数であり、サブフレームの数に対応する。また、１フレーム期間内で連続する２サブフレーム期間において、前のサブフレーム期間の書込期間に書き込むライン画像（第１ライン画像）と、後のサブフレーム期間の書込期間に書き込むライン画像（第２ライン画像）とが異なる場合、当該前のサブフレーム期間の書込期間の開始位置と当該後のサブフレーム期間の書込期間の開始位置とが１ラインずれる。具体的には、１フレーム期間内で連続する２サブフレーム期間の各々の書込期間で異なる画素信号に基づいたライン画像の書き込みの開始位置が１ラインずれる。第１ライン画像と第２ライン画像の関係は、例えば同一のフレーム画像に基づいたライン画像であって、入力信号Ｉにおける画素行の位置が異なるライン画像である。
【００３９】
なお、図３等のタイミングチャートでは、それぞれ異なる走査線５に接続されている画素行の位置関係を「ｙ」と「番号（１，２，３，４，５，…，（Ｌ），（Ｌ＋１），（Ｌ＋２），…）」の組み合わせで示している。また、表示部７において走査線５の並び方向の一端側に位置する画素行を「ｙ１」としている。従って、画素行は、ｙ１，ｙ２，ｙ３，ｙ４，ｙ５，…，ｙ（Ｌ），ｙ（Ｌ＋１），ｙ（Ｌ＋２）…の順に並んでいるものとする。
【００４０】
走査回路９は、駆動信号を与える対象とする走査線５を切り替えながら複数の走査線５の一部に対して駆動信号を与える工程を繰り返す走査を行う。実施形態１の走査回路９は、走査線５の並び方向の一端側から他端側に向かって駆動信号を与える対象とする走査線５を切り替える。
【００４１】
また、上述のように、実施形態１では、１サブフレーム期間に含まれる複数のフィールド期間の各々で、それぞれ異なる色の階調値に対応する階調信号が書き込まれる。図３等のタイミングチャートでは、ｙ１，ｙ２，ｙ３，ｙ４，ｙ５，…，ｙ（Ｌ），ｙ（Ｌ＋１），ｙ（Ｌ＋２）…の各画素行に対して各フィールド期間に与えられるライン画像を矩形で示し、各ライン画像が対応する色を、色を示す符号（Ｒ，Ｇ又はＢ）で表している。さらに、図３等では、入力信号Ｉを構成する複数のライン画像の位置に対応する番号を、色を示す符号（Ｒ，Ｇ又はＢ）の横（右側）に付された番号で示している。例えば、「Ｒ１」の矩形は、入力信号Ｉにおいて、「ｙ１」の位置の画素行に対して与えられたライン画像のうち赤色（Ｒ）の階調値が反映されたライン画像であることを示す。また、「Ｇ３」の矩形は、入力信号Ｉにおいて、「ｙ３」の位置の画素行に対して与えられたライン画像のうち緑色（Ｇ）の階調値が反映されたライン画像であることを示す。また、「Ｂ（Ｌ）」の矩形は、入力信号Ｉにおいて、「ｙ（Ｌ）」の位置の画素行に対して与えられたライン画像のうち青色（Ｂ）の階調値が反映されたライン画像であることを示す。他の矩形内における「色を示す符号（Ｒ，Ｇ又はＢ）」と「番号（１，２，３，４，５，…，（Ｌ），（Ｌ＋１），（Ｌ＋２），…）」との組み合わせも、同様のルールで記載されている。なお、「番号（１，２，３，４，５，…，（Ｌ），（Ｌ＋１），（Ｌ＋２），…）」のＬは、３以上の自然数の奇数である。
【００４２】
実施形態１では、書込期間に２ライン単位でライン画像が書き込まれる。具体的には、第１サブフレーム期間ＳＦＬ１において、入力信号Ｉに含まれる複数のライン画像のうち、１行目、３行目、…、（Ｌ）行目、…の画素行に対して与えられたライン画像が隣接する２ライン単位で書き込まれる。また、第２サブフレーム期間ＳＦＬ２において、入力信号Ｉに含まれる複数のライン画像のうち、２行目、４行目、…、（Ｌ＋１）行目、…の画素行に対して与えられたライン画像が隣接する２ライン単位で書き込まれる。ここで、２サブフレーム期間の各々の書込期間で異なる画素信号に基づいたライン画像の書き込みの開始位置が１ラインずれる。なお、「異なる画素信号に基づいたライン画像」とは、入力信号Ｉに含まれる複数のライン画像において、位置が異なるライン画像をさす。すなわち、入力信号Ｉに含まれる複数のライン画像における「１行目」のライン画像と「２行目」のライン画像との関係は、「異なる画素信号に基づいたライン画像」である。
【００４３】
図３に示すように、フレーム画像に含まれる複数のライン画像のうち、１行目のライン画像の赤色（Ｒ）、緑色（Ｇ）、青色（Ｂ）の各々の階調値に対応した「Ｒ１」、「Ｇ１」、「Ｂ１」が反映されたライン画像が、第１サブフレーム期間ＳＦＬ１に含まれるフィールド期間ＦＩ１１，ＦＩ１２，ＦＩ１３の書込期間中に、「ｙ１」及び「ｙ２」の画素行に対して書き込まれる。また、フレーム画像に含まれる複数のライン画像のうち、３行目のライン画像の赤色（Ｒ）、緑色（Ｇ）、青色（Ｂ）の各々の階調値に対応した「Ｒ３」、「Ｇ３」、「Ｂ３」が反映されたライン画像が、第１サブフレーム期間ＳＦＬ１に含まれるフィールド期間ＦＩ１１，ＦＩ１２，ＦＩ１３の書込期間中に、「ｙ３」及び「ｙ４」の画素行に対して書き込まれる。他の画素行に対しても同様の仕組みでライン画像が書き込まれる。従って、フレーム画像に含まれる複数のライン画像のうち、（Ｌ）行目のライン画像の赤色（Ｒ）、緑色（Ｇ）、青色（Ｂ）の各々の階調値に対応した「Ｒ（Ｌ）」、「Ｇ（Ｌ）」、「Ｂ（Ｌ）」が反映されたライン画像が、第１サブフレーム期間ＳＦＬ１に含まれるフィールド期間ＦＩ１１，ＦＩ１２，ＦＩ１３の書込期間中に、「ｙ（Ｌ）」及び「ｙ（Ｌ＋１）」の画素行に対して書き込まれる。
【００４４】
また、フレーム画像に含まれる複数のライン画像のうち、２行目のライン画像の赤色（Ｒ）、緑色（Ｇ）、青色（Ｂ）の各々の階調値に対応した「Ｒ２」、「Ｇ２」、「Ｂ２」が反映されたライン画像が、第２サブフレーム期間ＳＦＬ２に含まれるフィールド期間ＦＩ２１，ＦＩ２２，ＦＩ２３の書込期間中に、「ｙ２」及び「ｙ３」の画素行に対して書き込まれる。このように、第１サブフレーム期間ＳＦＬ１においてライン画像の書き込みの開始位置が「ｙ１」だったことに対して、第２サブフレーム期間ＳＦＬ２においてライン画像の書き込みの開始位置が「ｙ２」になり、１ラインずれる。以降、第２サブフレーム期間ＳＦＬ２に含まれるフィールド期間ＦＩ２１，ＦＩ２２，ＦＩ２３の書込期間において２ライン単位で書き込まれるライン画像の書き込み位置は、第１サブフレーム期間ＳＦＬ１に比して１ラインずれる。
【００４５】
具体的には、フレーム画像に含まれる複数のライン画像のうち、４行目のライン画像の赤色（Ｒ）、緑色（Ｇ）、青色（Ｂ）の各々の階調値に対応した「Ｒ４」、「Ｇ４」、「Ｂ４」が反映されたライン画像が、第２サブフレーム期間ＳＦＬ２に含まれるフィールド期間ＦＩ２１，ＦＩ２２，ＦＩ２３の書込期間中に、「ｙ４」及び「ｙ５」の画素行に対して書き込まれる。他の画素行に対しても同様の仕組みでライン画像が書き込まれる。従って、フレーム画像に含まれる複数のライン画像のうち、（Ｌ＋１）行目のライン画像の赤色（Ｒ）、緑色（Ｇ）、青色（Ｂ）の各々の階調値に対応した「Ｒ（Ｌ＋１）」、「Ｇ（Ｌ＋１）」、「Ｂ（Ｌ＋１）」が反映されたライン画像が、第２サブフレーム期間ＳＦＬ２に含まれるフィールド期間ＦＩ２１，ＦＩ２２，ＦＩ２３の書込期間中に、「ｙ（Ｌ＋１）」及び「ｙ（Ｌ＋２）」の画素行に対して書き込まれる。
【００４６】
なお、異なるサブフレーム期間であっても、「異なる画素信号に基づいたライン画像」に該当しないライン画像の書き込み位置は同じである。具体的には、第２サブフレーム期間ＳＦＬ２に含まれるフィールド期間ＦＩ２１，ＦＩ２２，ＦＩ２３の書込期間中であっても、１行目のライン画像の赤色（Ｒ）、緑色（Ｇ）、青色（Ｂ）の各々の階調値に対応した「Ｒ１」、「Ｇ１」、「Ｂ１」が反映されたライン画像が、第２サブフレーム期間ＳＦＬ２に含まれるフィールド期間ＦＩ２１，ＦＩ２２，ＦＩ２３の書込期間中に、「ｙ１」の画素行に対して書き込まれる。すなわち、「ｙ１」の画素行では、第１サブフレーム期間ＳＦＬ１、第２サブフレーム期間ＳＦＬ２の両方で共通する「ｙ１」の位置の画素信号に基づいたライン画像に基づいた書き込み及び表示出力が行われる。
【００４７】
フレーム期間ＦＬ単位で見た場合、各画素行で表示出力されるライン画像の成分は、第１サブフレーム期間ＳＦＬ１に書き込まれたライン画像の成分と第２サブフレーム期間ＳＦＬ２に書き込まれたライン画像の成分とを合成したものになる。
【００４８】
図４は、実施形態１においてフレーム期間ＦＬ中に各画素行で表示出力されるライン画像の成分を示す表図である。図３を参照して説明したように、２画素行に１度に書き込まれるライン画像は同一のライン画像である。「ｙ１」の画素行では、上述のように、第１サブフレーム期間ＳＦＬ１、第２サブフレーム期間ＳＦＬ２の両方で共通する「ｙ１」の位置の画素信号に基づいたライン画像に基づいた書き込み及び表示出力が行われる。従って、「ｙ１」の画素行で表示出力されるライン画像の成分は、第１サブフレーム期間ＳＦＬ１及び第２サブフレーム期間ＳＦＬ２の各フィールド期間の「Ｒ１」、「Ｇ１」、「Ｂ１」が合成された「ＲＧＢ１」である。
【００４９】
一方、「ｙ１」の画素行以外の画素行では、第１サブフレーム期間ＳＦＬ１と第２サブフレーム期間ＳＦＬ２で書き込まれるライン画像が異なる。例えば、「ｙ２」の画素行では、第１サブフレーム期間ＳＦＬ１に「ｙ１」の位置の画素信号に基づいたライン画像に基づいた書き込み及び表示出力が行われる。また、「ｙ２」の画素行では、第２サブフレーム期間ＳＦＬ２に「ｙ２」の位置の画素信号に基づいたライン画像に基づいた書き込み及び表示出力が行われる。従って、「ｙ２」の画素行で表示出力されるライン画像の成分は、第１サブフレーム期間ＳＦＬ１の各フィールド期間の「Ｒ１」、「Ｇ１」、「Ｂ１」が合成された「ＲＧＢ１」と、第２サブフレーム期間ＳＦＬ２の各フィールド期間の「Ｒ２」、「Ｇ２」、「Ｂ２」が合成された「ＲＧＢ２」とを足し合わせた成分をサブフレーム期間の数（実施形態１では、２）で割った「（ＲＧＢ１＋ＲＧＢ２）／２」である。
【００５０】
「ｙ１」の画素行以外の画素行表示出力されるライン画像の成分は、上述の「ｙ２」の画素行と同様の仕組みで、第１サブフレーム期間ＳＦＬ１の各フィールド期間に書き込まれたライン画像の成分と第２サブフレーム期間ＳＦＬ２の各フィールド期間に書き込まれたライン画像の成分とを足し合わせた成分をサブフレーム期間の数で割った成分になる。
【００５１】
例えば、「ｙ（Ｌ）」の画素行で表示出力されるライン画像の成分は、第１サブフレーム期間ＳＦＬ１の各フィールド期間の「Ｒ（Ｌ−１）」、「Ｇ（Ｌ−１）」、「Ｂ（Ｌ−１）」が合成された「ＲＧＢ（Ｌ−１）」と、第２サブフレーム期間ＳＦＬ２の各フィールド期間の「Ｒ（Ｌ）」、「Ｇ（Ｌ）」、「Ｂ（Ｌ）」が合成された「ＲＧＢ（Ｌ）」とを足し合わせた成分をサブフレーム期間の数（実施形態１では、２）で割った「｛ＲＧＢ（Ｌ−１）＋ＲＧＢ（Ｌ）｝／２」である。また、「ｙ（Ｌ＋１）」の画素行で表示出力されるライン画像の成分は、第１サブフレーム期間ＳＦＬ１の各フィールド期間の「Ｒ（Ｌ）」、「Ｇ（Ｌ）」、「Ｂ（Ｌ）」が合成された「ＲＧＢ（Ｌ）」と、第２サブフレーム期間ＳＦＬ２の各フィールド期間の「Ｒ（Ｌ＋１）」、「Ｇ（Ｌ＋１）」、「Ｂ（Ｌ＋１）」が合成された「ＲＧＢ（Ｌ＋１）」とを足し合わせた成分をサブフレーム期間の数（実施形態１では、２）で割った「｛ＲＧＢ（Ｌ）＋ＲＧＢ（Ｌ＋１）｝／２」である。また、「ｙ（Ｌ＋２）」の画素行で表示出力されるライン画像の成分は、第１サブフレーム期間ＳＦＬ１の各フィールド期間の「Ｒ（Ｌ＋１）」、「Ｇ（Ｌ＋１）」、「Ｂ（Ｌ＋１）」が合成された「ＲＧＢ（Ｌ＋１）」と、第２サブフレーム期間ＳＦＬ２の各フィールド期間の「Ｒ（Ｌ＋２）」、「Ｇ（Ｌ＋２）」、「Ｂ（Ｌ＋２）」が合成された「ＲＧＢ（Ｌ＋２）」とを足し合わせた成分をサブフレーム期間の数（実施形態１では、２）で割った「｛ＲＧＢ（Ｌ＋１）＋ＲＧＢ（Ｌ＋２）｝／２」である。
【００５２】
このように、入力信号Ｉに含まれる複数のライン画像のうち、（Ｌ）行目の画素行に対して与えられたライン画像は、「ｙ（Ｌ）」の画素行で１／２フレーム期間表示出力され、「ｙ（Ｌ＋１）」の画素行で１／２フレーム期間表示出力されることによって、１フレーム期間中に表示出力される。また、入力信号Ｉに含まれる複数のライン画像のうち、（Ｌ＋１）行目の画素行に対して与えられたライン画像は、「ｙ（Ｌ＋１）」の画素行で１／２フレーム期間表示出力され、「ｙ（Ｌ＋２）」の画素行で１／２フレーム期間表示出力されることによって、１フレーム期間中に表示出力される。
【００５３】
上述のように、所定数ライン単位で１度に書き込まれる所定数のライン画像を同一のライン画像とし、１フレーム期間内で連続する２サブフレーム期間の各々の書込期間で異なる画素信号に基づいたライン画像の書き込みの開始位置を１ラインずらすことで、走査回路９の走査による駆動信号の出力対象（走査線５）の切り替え頻度の増加の抑制と、表示出力内容の切り替わり頻度の増加とを両立することができる。係る表示出力内容の切り替わり頻度の増加によって、カラーブレークの発生を抑制することができる。
【００５４】
図５は、カラーブレークの発生に関するテストパターンの説明図である。例えば、図５に示すように、光の散乱度が最低である領域（黒領域ＢＦ）と光の散乱度が最高である領域（白領域ＷＦ）が隣接する表示出力を表示部７が行っている状態を開始状態とする。この開始状態から、フレーム期間ＦＬ毎に黒領域ＢＦを白領域ＷＦ側に８画素幅ずつ広げ、その分白領域ＷＦを狭めるよう表示出力内容を変化させる制御（８ｐｐｆ：８  pixel  per  frame）を適用した場合のカラーブレークの発生度合いを求めた例について、後述する図６を参照して説明する。
【００５５】
図６は、フレームレートとＲＧＢ光源点灯周波数とカラーブレーク指数（ＣＢＩ：Color  Break  Index）との関係の一例を示す表図である。フレームレートは、１秒あたりのフレーム期間ＦＬの数である。ＲＧＢ光源点灯周波数は、１秒あたりで、光源１１に含まれる第１光源１１Ｒ、第２光源１１Ｇ及び第３光源１１Ｂの点灯期間が一巡する回数を示す。従って、光源１１に含まれる第１光源１１Ｒ、第２光源１１Ｇ及び第３光源１１Ｂの各々の１秒あたりの点灯回数がＲＧＢ光源点灯周波数と同一である。光源１１に含まれるいずれかの色の光源が点灯する周波数の値は、ＲＧＢ光源点灯周波数に色数（３）を乗じた値になる。ＣＢＩは、ＳＥＭＩ（Semiconductor  Equipment  and  Materials  International）が提案したカラーブレーク測定のための計算方法に基づいて導出された指数である。ＣＢＩの値が小さい程、カラーブレークの視認が困難であることを示す。
【００５６】
図６に示すように、フレームレートを６０［Ｈｚ］に固定した条件下でＲＧＢ光源点灯周波数をより高める場合に比して、フレームレートとＲＧＢ光源点灯周波数とを同一にするようにフレームレート及びＲＧＢ光源点灯周波数をより高めた方が、ＣＢＩはより改善する。このため、実施形態１では、フレームレートとＲＧＢ光源点灯周波数とを同一にし、かつ、フレームレート及びＲＧＢ光源点灯周波数を６０［Ｈｚ］を超える値（例えば、１２０［Ｈｚ］又は２４０［Ｈｚ］）としている。なお、フレームレートとＲＧＢ光源点灯周波数との関係は、フレームレート及びＲＧＢ光源点灯周波数をそれぞれ任意に設定することで任意に設定可能である。
【００５７】
なお、ポジ（Ｐ）モードとネガ（Ｎ）モードでは、表示出力に関する他の条件が同一である場合、表示部７による表示出力内容の輝度に差が生じることがある。ポジ（Ｐ）モードとネガ（Ｎ）モードで輝度差が生じる理由として、ポジ（Ｐ）モードでＶＣＯＭ駆動回路１０が共通電極６に与える電位とネガ（Ｎ）モードでＶＣＯＭ駆動回路１０が共通電極６に与える電位との中間電位を０［Ｖ］にすることが技術的に困難であることによる。すなわち、ポジ（Ｐ）モードにおける各部の電位の絶対値とネガ（Ｎ）モードにおける各部の電位の絶対値とがばらつくことで、輝度差が生じることがある。そこで、ポジ（Ｐ）モードにおける光源１１の点灯量とネガ（Ｎ）モードにおける光源１１の点灯量とを異ならせるようにしてもよい。
【００５８】
図７は、実施形態１におけるモード毎の輝度指標と光源１１の点灯量との関係を示す表図である。輝度指標は、表示部７の全画素Ｐｉｘに所定の階調値を与えた場合の輝度を基準（±０）として、輝度が最高になる階調値を表示部７の全画素Ｐｉｘに与えた場合の表示部７の輝度である。所定の階調値は、例えば、ＲＧＢ各色８ビット階調値で（Ｒ，Ｇ，Ｂ）＝（１２８，１２８，１２８）であり、輝度が最高になる階調値は、例えば、ＲＧＢ各色８ビット階調値で（Ｒ，Ｇ，Ｂ）＝（２５５，２５５，２５５）であるが、これに限られるものでない。
【００５９】
例えば、実施形態１の表示装置１００は、第１サブフレーム期間ＳＦＬ１にポジ（Ｐ）モードになり、第２サブフレーム期間ＳＦＬ２にネガ（Ｎ）モードになる。図７に示す例では、表示部７のポジ（Ｐ）モードの輝度指標がαであり、ネガ（Ｎ）モードの輝度指標がβである。ここで、αとβが異なる場合、ポジ（Ｐ）モードにおける光源１１の点灯量（κ）とネガ（Ｎ）モードにおける光源１１の点灯量（λ）とを異ならせる。この場合のκとλの関係は、例えば、輝度が最高になる階調値を表示部７の全画素Ｐｉｘに与えた場合の表示部７の輝度がポジ（Ｐ）モードとネガ（Ｎ）モードで実質的に同じになるように設定される。
【００６０】
図１及び図２を参照して説明した高分子分散型液晶を利用した表示装置１００では、α＞βになる傾向がある。従って、例えば上述したポジ（Ｐ）モードでＶＣＯＭ駆動回路１０が共通電極６に与える電位とネガ（Ｎ）モードでＶＣＯＭ駆動回路１０が共通電極６に与える電位とのずれによってα＞βである場合、κ＜λであるが、αとβの関係及びκとλの関係はこれに限られるものでなく、両方とも逆であってもよい。αとβの関係に応じてκとλの関係を適宜設定することで、ポジ（Ｐ）モードとネガ（Ｎ）モードの輝度差を抑制できる。無論、α＝βであるならば、κ＝λであってよく、この場合、光源１１の点灯量に対する特段の制御は不要になる。
【００６１】
なお、書込期間に書き込まれるライン画像の出力制御は、例えば入力回路１５が行う。入力回路１５は、入力信号Ｉに基づいて各画素Ｐｉｘの赤（Ｒ）、緑（Ｇ）、青（Ｂ）の各々の色の階調値を示す階調信号を信号出力回路８に出力する。また、入力回路１５は、信号出力回路８に対する階調信号の入力タイミングに同期した同期信号その他の制御信号をタイミングコントローラ１３に出力する。タイミングコントローラ１３は、入力回路１５から入力される信号に基づいて信号出力回路８、走査回路９、ＶＣＯＭ駆動回路１０等の動作を制御する。
【００６２】
実施形態１の入力回路１５は、例えば液晶表示パネルＰと接続された図示しないフレキシブルプリント基板上に実装されるＦＰＧＡ（Field  Programmable  Gate  Array）又は同様の機能を実現可能な回路である。入力回路１５は、フレーム画像のデータを保持するためのメモリ１５ａを備える。入力回路１５は、メモリ１５ａに記憶されたフレーム画像から、例えば図３を参照して説明したようにライン画像単位で各フィールド期間の書込期間にライン画像を出力する。言い換えれば、メモリ１５ａは、例えば図３を参照して説明したような順序でライン画像を出力可能な記憶容量を保持していればよい。例えば、メモリ１５ａが２フレーム分のフレーム画像を記憶可能な容量を有していれば、入力回路１５は、先に入力された１フレーム分のフレーム画像をライン画像単位で出力すると共に、当該ライン画像の出力期間中に並行して入力される後の１フレーム分のフレーム画像を保持できる。
【００６３】
以上、実施形態１によれば、表示装置１００は、対向する２枚の基板の間に液晶３が封入され、複数のライン画像を走査方向に並べてフレーム画像を表示させる液晶表示パネルＰと、液晶表示パネルＰに光を照射する光源１１とを備える。１つのフレーム画像に対して割り当てられる１フレーム期間ＦＬは、所定数（例えば、２）のサブフレーム期間を含む。サブフレーム期間は、ライン画像の書込期間と、光源１１からの光が照射される表示期間とを含む。書込期間には、所定数ライン単位でライン画像が書き込まれる。所定数ライン単位で１度に書き込まれる所定数のライン画像は同一のライン画像である。１フレーム期間内で連続する２サブフレーム期間において、前のサブフレーム期間の書込期間に書き込むライン画像と、後のサブフレーム期間の書込期間に書き込むライン画像とが異なる場合、当該前のサブフレーム期間の書込期間の開始位置と当該後のサブフレーム期間の書込期間の開始位置とが１ラインずれる。
【００６４】
これによって、書込期間において画素行毎に異なるライン画像を走査方向に順次書き込んでいく場合に比して、１回の書込期間において走査回路９が駆動信号を出力する走査線５を切り替える回数を低減することができる。このため、１回の書込期間に割り当てる時間をより短くすることができる。また、１フレーム期間に所定数のサブフレーム期間を設け、サブフレーム期間単位でライン画像の書き込みの開始位置と書き込まれるライン画像とを異ならせることで、１フレーム期間単位でのフレーム画像の表示出力内容の実質的な維持と、サブフレーム期間を設けることによるフレームレートの増加とを両立することができる。すなわち、所定数のサブフレーム期間とライン画像のずらしとによって、表示出力内容を実質的に維持しながらフレームレートをより高められる。従って、実施形態１によれば、フレームレートをより高めることができることから、カラーブレークを抑制できる。
【００６５】
また、１フレーム期間内で連続する２サブフレーム期間のうち後のサブフレーム期間（例えば、第２サブフレーム期間ＳＦＬ２）は、異なる画素信号に基づいたライン画像の書き込みの開始位置よりも走査方向の上流側に位置するライン画像が、当該２サブフレーム期間のうち前のサブフレーム期間（例えば、第１サブフレーム期間ＳＦＬ１）に書き込まれたライン画像と同一のライン画像である。これによって、サブフレーム期間単位で全てのライン画像を異ならせる場合に比してフレーム期間単位での表示出力内容を入力信号Ｉと同等に見せやすくなる。
【００６６】
また、光源１１は、個別に点灯期間を制御可能な複数の色の光源（例えば、第１光源１１Ｒ、第２光源１１Ｇ、第３光源１１Ｂ）を含む。サブフレーム期間は、複数の色毎に設けられた複数のフィールド期間を含む。１フィールド期間は、書込期間と表示期間とを含む。これによって、ＦＳＣを行う表示装置１００においてフレームレートをより高めることができることから、カラーブレークを抑制できる。
【００６７】
また、所定期間（例えば、サブフレーム期間）周期で２枚の基板（例えば、第１基板３０と第２基板２０）間の電界の極性が反転する。これによって、液晶３の劣化を抑制できる。
【００６８】
また、電界の極性の反転前後で光源１１の点灯量を異ならせることで、モードの相違によって輝度指標が異なる場合にも視認される画像の輝度をより均一化できる。
【００６９】
（実施形態２）
次に、実施形態２に係る表示装置について説明する。実施形態２の説明に係り、実施形態１と同様の構成については同じ符号を付して説明を省略する。
【００７０】
図８は、実施形態２のフィールドシーケンシャル制御の流れの一例を示すタイミングチャートである。実施形態２では、フィールド期間周期で２枚の基板間の電界の極性が反転する。すなわち、実施形態２では、フィールド期間周期でポジ（Ｐ）モードとネガ（Ｎ）モードとが切り替わる。
【００７１】
具体的には、図８に示すように、フィールド期間ＦＩ１１とフィールド期間ＦＩ１２とでポジ（Ｐ）モードとネガ（Ｎ）モードとが切り替わる。また、フィールド期間ＦＩ１２とフィールド期間ＦＩ１３とでネガ（Ｎ）モードとポジ（Ｐ）モードとが切り替わる。また、第１サブフレーム期間ＳＦＬ１と第２サブフレーム期間ＳＦＬ２との切り替わりタイミングを挟んで連続するフィールド期間ＦＩ１３とフィールド期間ＦＩ２１とでポジ（Ｐ）モードとネガ（Ｎ）モードとが切り替わる。また、フィールド期間ＦＩ２１とフィールド期間ＦＩ２２とでネガ（Ｎ）モードとポジ（Ｐ）モードとが切り替わる。また、フィールド期間ＦＩ２２とフィールド期間ＦＩ２３とでポジ（Ｐ）モードとネガ（Ｎ）モードとが切り替わる。以降、連続する２フレーム期間ＦＬの切り替わりタイミングを挟んで連続する２フィールド期間についても、第１サブフレーム期間ＳＦＬ１と第２サブフレーム期間ＳＦＬ２との切り替わりタイミングを挟んで連続する２フィールド期間（例えば、フィールド期間ＦＩ１３とフィールド期間ＦＩ２１）と同様である。
【００７２】
なお、図８に示す例では、フレーム期間ＦＬの最初のフィールド期間がポジ（Ｐ）モードから始まっているが、逆であってもよい。すなわち、フレーム期間ＦＬの最初のフィールド期間がネガ（Ｎ）モードから始まってもよい。
【００７３】
図９は、実施形態２におけるモード毎の輝度指標と光源１１の点灯量との関係を示す表図である。図９に示すように、実施形態２では、モードと輝度指標と光源の点灯量との関係がサブフレーム期間単位からフィールド期間単位になる。具体的には、実施形態２では、例えば、フィールド期間ＦＩ１１、フィールド期間ＦＩ１３、フィールド期間ＦＩ２２にポジ（Ｐ）モードになり、フィールド期間ＦＩ１２、フィールド期間ＦＩ２１、フィールド期間ＦＩ２３にネガ（Ｎ）モードになる。ポジ（Ｐ）モードになる期間及びネガ（Ｎ）モードになる期間の相違を除いて、実施形態２におけるモードと輝度指標と光源の点灯量との関係は、実施形態１と同様である。
【００７４】
以上、特筆した事項を除いて、実施形態２は、実施形態１と同様である。実施形態２によれば、フィールド期間周期で２枚の基板（例えば、第１基板３０と第２基板２０）間の電界の極性が反転する。これによって、液晶３の劣化を抑制できる。また、モードの相違によって輝度指標が異なる場合であっても、輝度指標をより均一化しやすくなる。
【００７５】
また、極性の反転前後で光源１１の点灯量が異なる。例えば、連続する２フィールド期間のうち一方（例えば、ポジ（Ｐ）モード）の光の散乱度合いが他方よりも強い場合、一方の光源１１の点灯量を他方よりも弱くする。これによって、モードの相違によって輝度指標が異なる場合にも視認される画像の輝度をより均一化できる。
【００７６】
（実施形態３）
次に、実施形態３に係る表示装置について説明する。実施形態３の説明に係り、実施形態２と同様の構成については同じ符号を付して説明を省略する。
【００７７】
図１０は、実施形態３のフィールドシーケンシャル制御の流れの一例を示すタイミングチャートである。実施形態３では、連続する２フィールド期間において、前のフィールド期間の書込期間に書き込むライン画像と、後のフィールド期間の書込期間に書き込むライン画像とが異なる場合、当該前のフィールド期間の書込期間の開始位置と当該後のフィールド期間の書込期間の開始位置とが１ラインずれる。すなわち、連続する２フィールド期間の各々の書込期間で異なる画素信号に基づいたライン画像の書き込みの開始位置が１ラインずれる。
【００７８】
具体的には、図１０に示すように、フィールド期間ＦＩ１１の書込期間中に、フレーム画像に含まれる複数のライン画像のうち、１行目のライン画像の赤色（Ｒ）の階調値に対応した「Ｒ１」が反映されたライン画像が「ｙ１」及び「ｙ２」の画素行に対して書き込まれる。また、３行目のライン画像の赤色（Ｒ）の階調値に対応した「Ｒ３」が反映されたライン画像が「ｙ３」及び「ｙ４」の画素行に対して書き込まれる。以降、同様の仕組みで（Ｌ）行目のライン画像の赤色（Ｒ）の階調値に対応した「Ｒ（Ｌ）」が反映されたライン画像が「ｙ（Ｌ）」及び「ｙ（Ｌ＋１）」の画素行に対して書き込まれる。このように、フィールド期間ＦＩ１１については、実施形態３は、実施形態１，２と同様である。
【００７９】
一方、実施形態３では、実施形態１，２と異なり、フィールド期間ＦＩ１２の書込期間中に、フレーム画像に含まれる複数のライン画像のうち、１行目のライン画像の緑色（Ｇ）の階調値に対応した「Ｇ１」が反映されたライン画像が「ｙ１」に対して書き込まれる。また、フレーム画像に含まれる複数のライン画像のうち、２行目のライン画像の緑色（Ｇ）の階調値に対応した「Ｇ２」が反映されたライン画像が「ｙ２」及び「ｙ３」の画素行に対して書き込まれる。また、４行目のライン画像の緑色（Ｇ）の階調値に対応した「Ｇ４」が反映されたライン画像が「ｙ４」及び「ｙ５」の画素行に対して書き込まれる。以降、同様の仕組みで（Ｌ＋１）行目のライン画像の緑色（Ｇ）の階調値に対応した「Ｇ（Ｌ＋１）」が反映されたライン画像が「ｙ（Ｌ＋１）」及び「ｙ（Ｌ＋２）」の画素行に対して書き込まれる。このように、実施形態３では、連続する２フィールド期間（例えば、フィールド期間ＦＩ１１とフィールド期間ＦＩ１２）の各々の書込期間で異なる画素信号に基づいたライン画像の書き込みの開始位置が１ラインずれる。
【００８０】
なお、実施形態３では、実施形態１，２と同様、フィールド期間ＦＩ１３の書込期間中に、フレーム画像に含まれる複数のライン画像のうち、１行目のライン画像の青色（Ｂ）の階調値に対応した「Ｂ１」が反映されたライン画像が「ｙ１」及び「ｙ２」の画素行に対して書き込まれる。また、３行目のライン画像の青色（Ｂ）の階調値に対応した「Ｂ３」が反映されたライン画像が「ｙ３」及び「ｙ４」の画素行に対して書き込まれる。以降、同様の仕組みで（Ｌ）行目のライン画像の青色（Ｂ）の階調値に対応した「Ｂ（Ｌ）」が反映されたライン画像が「ｙ（Ｌ）」及び「ｙ（Ｌ＋１）」の画素行に対して書き込まれる。このように、フィールド期間ＦＩ１３については、実施形態３は、結果的に実施形態１，２と同様であるが、連続する２フィールド期間（例えば、フィールド期間ＦＩ１２とフィールド期間ＦＩ１３）の各々の書込期間で異なる画素信号に基づいたライン画像の書き込みの開始位置が１ラインずれる。
【００８１】
また、実施形態３では、実施形態１，２と同様、フィールド期間ＦＩ２１の書込期間中に、フレーム画像に含まれる複数のライン画像のうち、１行目のライン画像の赤色（Ｒ）の階調値に対応した「Ｒ１」が反映されたライン画像が「ｙ１」に対して書き込まれる。また、フレーム画像に含まれる複数のライン画像のうち、２行目のライン画像の赤色（Ｒ）の階調値に対応した「Ｒ２」が反映されたライン画像が「ｙ２」及び「ｙ３」の画素行に対して書き込まれる。また、４行目のライン画像の赤色（Ｒ）の階調値に対応した「Ｒ４」が反映されたライン画像が「ｙ４」及び「ｙ５」の画素行に対して書き込まれる。以降、同様の仕組みで（Ｌ＋１）行目のライン画像の赤色（Ｒ）の階調値に対応した「Ｒ（Ｌ＋１）」が反映されたライン画像が「ｙ（Ｌ＋１）」及び「ｙ（Ｌ＋２）」の画素行に対して書き込まれる。このように、フィールド期間ＦＩ２１については、実施形態３は、結果的に実施形態１，２と同様であるが、連続する２サブフレーム期間の切り替わりタイミングを挟んで連続する２フィールド期間（例えば、フィールド期間ＦＩ１３とフィールド期間ＦＩ２１）の各々の書込期間で異なる画素信号に基づいたライン画像の書き込みの開始位置が１ラインずれる。
【００８２】
また、実施形態３では、実施形態１，２と異なり、フィールド期間ＦＩ２２の書込期間中に、フレーム画像に含まれる複数のライン画像のうち、１行目のライン画像の緑色（Ｇ）の階調値に対応した「Ｇ１」が反映されたライン画像が「ｙ１」及び「ｙ２」の画素行に対して書き込まれる。また、３行目のライン画像の緑色（Ｇ）の階調値に対応した「Ｇ３」が反映されたライン画像が「ｙ３」及び「ｙ４」の画素行に対して書き込まれる。以降、同様の仕組みで（Ｌ）行目のライン画像の緑色（Ｇ）の階調値に対応した「Ｇ（Ｌ）」が反映されたライン画像が「ｙ（Ｌ）」及び「ｙ（Ｌ＋１）」の画素行に対して書き込まれる。このように、実施形態３では、連続する２フィールド期間（例えば、フィールド期間ＦＩ２１とフィールド期間ＦＩ２２）の各々の書込期間で異なる画素信号に基づいたライン画像の書き込みの開始位置が１ラインずれる。
【００８３】
また、実施形態３では、実施形態１，２と同様、フィールド期間ＦＩ２３の書込期間中に、フレーム画像に含まれる複数のライン画像のうち、１行目のライン画像の青色（Ｂ）の階調値に対応した「Ｂ１」が反映されたライン画像が「ｙ１」に対して書き込まれる。また、フレーム画像に含まれる複数のライン画像のうち、２行目のライン画像の青色（Ｂ）の階調値に対応した「Ｂ２」が反映されたライン画像が「ｙ２」及び「ｙ３」の画素行に対して書き込まれる。また、４行目のライン画像の青色（Ｂ）の階調値に対応した「Ｂ４」が反映されたライン画像が「ｙ４」及び「ｙ５」の画素行に対して書き込まれる。以降、同様の仕組みで（Ｌ＋１）行目のライン画像の青色（Ｂ）の階調値に対応した「Ｂ（Ｌ＋１）」が反映されたライン画像が「ｙ（Ｌ＋１）」及び「ｙ（Ｌ＋２）」の画素行に対して書き込まれる。このように、フィールド期間ＦＩ２３については、実施形態３は、結果的に実施形態１，２と同様であるが、連続する２フィールド期間（例えば、フィールド期間ＦＩ２２とフィールド期間ＦＩ２３）の各々の書込期間で異なる画素信号に基づいたライン画像の書き込みの開始位置が１ラインずれる。
【００８４】
以上、特筆した事項を除いて、実施形態３は、実施形態２と同様である。以上、実施形態３によれば、連続する２フィールド期間において、前のフィールド期間の書込期間に書き込むライン画像と、後のフィールド期間の書込期間に書き込むライン画像とが異なる場合、当該前のフィールド期間の書込期間の開始位置と当該後のフィールド期間の書込期間の開始位置とが１ラインずれる。また、連続する２フィールド期間の各々の書込期間で異なる画素信号に基づいたライン画像の書き込みの開始位置が１ラインずれ、フィールド期間周期で２枚の基板（例えば、第１基板３０と第２基板２０）間の電界の極性が反転する。これによって、入力信号Ｉにおいて走査方向に奇数番目に位置するライン画像と偶数番目に位置するライン画像とを複数のサブフレーム期間に分散させることができる。従って、仮に奇数番目のライン画像と偶数番目のライン画像との輝度差が顕著な所謂ストライプパターンが入力される場合であっても、係るライン画像の輝度差がサブフレーム期間単位で反映されることを抑制できる。
【００８５】
（実施形態４）
次に、実施形態４に係る表示装置について説明する。実施形態４の説明に係り、実施形態３と同様の構成については同じ符号を付して説明を省略する。
【００８６】
図１１及び図１２は、実施形態４のフィールドシーケンシャル制御の流れの一例を示すタイミングチャートである。実施形態４において周期的に連続する２フレーム期間ＦＬを図１１と図１２で示している。図１１は、連続する２フレーム期間ＦＬのうち先の第１フレーム期間ＦＬ１を示している。図１２は、連続する２フレーム期間ＦＬのうち後の第２フレーム期間ＦＬ２を示している。第２フレーム期間ＦＬ２のさらに後には、再度第１フレーム期間ＦＬ１が連続する。実施形態４では、２フィールド期間周期で２枚の基板間の電界の極性が反転する。すなわち、実施形態４では、２フィールド期間周期でポジ（Ｐ）モードとネガ（Ｎ）モードとが切り替わる。
【００８７】
具体的には、図１１に示すように、連続する２フレーム期間ＦＬのうち先の第１フレーム期間ＦＬ１のフィールド期間ＦＩ１１とフィールド期間ＦＩ１２とでポジ（Ｐ）モードが連続し、フィールド期間ＦＩ１２とフィールド期間ＦＩ１３とでポジ（Ｐ）モードとネガ（Ｎ）モードとが切り替わる。また、第１フレーム期間ＦＬ１の第１サブフレーム期間ＳＦＬ１と第２サブフレーム期間ＳＦＬ２との切り替わりタイミングを挟んで連続する２フィールド期間（例えば、フィールド期間ＦＩ１３とフィールド期間ＦＩ２１）でネガ（Ｎ）モードが連続し、フィールド期間ＦＩ２１とフィールド期間ＦＩ２２とでネガ（Ｎ）モードとポジ（Ｐ）モードとが切り替わる。また、第１フレーム期間ＦＬ１のフィールド期間ＦＩ２２とフィールド期間ＦＩ２３）でポジ（Ｐ）モードが連続する。
【００８８】
また、図１１と図１２で示すように、連続する２フレーム期間ＦＬ（例えば、第１フレーム期間ＦＬ１と第２フレーム期間ＦＬ２）の切り替わりタイミングを挟んで連続するフィールド期間ＦＩ２３とフィールド期間ＦＩ１１とでポジ（Ｐ）モードとネガ（Ｎ）モードとが切り替わる。また、図１２で示すように、第２フレーム期間ＦＬ２のフィールド期間ＦＩ１１とフィールド期間ＦＩ１２とでネガ（Ｎ）モードが連続し、フィールド期間ＦＩ１２とフィールド期間ＦＩ１３とでネガ（Ｎ）モードとポジ（Ｐ）モードとが切り替わる。また、第２フレーム期間ＦＬ２の第１サブフレーム期間ＳＦＬ１と第２サブフレーム期間ＳＦＬ２との切り替わりタイミングを挟んで連続する２フィールド期間（例えば、フィールド期間ＦＩ１３とフィールド期間ＦＩ２１）でポジ（Ｐ）モードが連続し、フィールド期間ＦＩ２１とフィールド期間ＦＩ２２とでポジ（Ｐ）モードとネガ（Ｎ）モードとが切り替わる。また、第１フレーム期間ＦＬ１のフィールド期間ＦＩ２２とフィールド期間ＦＩ２３）でネガ（Ｎ）モードが連続する。その後、連続する２フレーム期間ＦＬ（例えば、第２フレーム期間ＦＬ２と第１フレーム期間ＦＬ１）の切り替わりタイミングを挟んで連続するフィールド期間ＦＩ２３とフィールド期間ＦＩ１１とでネガ（Ｎ）モードとポジ（Ｐ）モードとが切り替わる。
【００８９】
図１３及び図１４は、実施形態４におけるモード毎の輝度指標と光源１１の点灯量との関係を示す表図である。図１３及び図１４に示すように、実施形態４では、モードと輝度指標と光源の点灯量との関係が２フィールド期間単位になる。具体的には、実施形態４では、例えば、第１フレーム期間ＦＬ１のフィールド期間ＦＩ１１、フィールド期間ＦＩ１２、フィールド期間ＦＩ２２及びフィールド期間ＦＩ２３ならびに第２フレーム期間ＦＬ２のフィールド期間ＦＩ１３及びフィールド期間ＦＩ２１にポジ（Ｐ）モードになる。また、第１フレーム期間ＦＬ１のフィールド期間ＦＩ１３及びフィールド期間ＦＩ２１ならびに第２フレーム期間ＦＬ２のフィールド期間ＦＩ１１、フィールド期間ＦＩ１２、フィールド期間ＦＩ２２、フィールド期間ＦＩ２３にネガ（Ｎ）モードになる。ポジ（Ｐ）モードになる期間及びネガ（Ｎ）モードになる期間の相違を除いて、実施形態４におけるモードと輝度指標と光源の点灯量との関係は、実施形態１と同様である。
【００９０】
以上、特筆した事項を除いて、実施形態４は、実施形態３と同様である。以上、実施形態４によれば、連続する２フィールド期間の各々の書込期間で異なる画素信号に基づいたライン画像の書き込みの開始位置が１ラインずれ、２フィールド期間周期で２枚の基板（例えば、第１基板３０と第２基板２０）間の電界の極性が反転する。これによって、入力信号Ｉにおいて走査方向に奇数番目に位置するライン画像と偶数番目に位置するライン画像とを複数のサブフレーム期間に分散させることができる。従って、仮に奇数番目のライン画像と偶数番目のライン画像との輝度差が顕著な所謂ストライプパターンが入力される場合であっても、係るライン画像の輝度差がサブフレーム期間単位で反映されることを抑制できる。
【００９１】
以上、図３から図１４を参照して、１フレーム期間ＦＬが２サブフレーム期間を含む場合について説明したが、サブフレーム期間の数は２に限定されるものでなく、３以上であってもよい。
【００９２】
図１５は、３サブフレーム期間を含むフィールドシーケンシャル制御の流れの一例を示すタイミングチャートである。図１５のタイミングチャートでは、ライン画像の色の区別を省略し、矩形内における「Ｄ」と「番号（１，２，３，４，５，…，（Ｌ），（Ｌ＋１），（Ｌ＋２），…）」との組み合わせで示している。なお、光源１１の色数が２以上である場合、すなわち、複数色のライン画像が書き込まれる場合、図３等を参照して説明した場合と同様、各サブフィールド期間内のフィールド期間単位でライン画像が更新される。例えば、ＲＧＢの３色であれば、１サブフレーム期間毎にＲＧＢの３ライン単位で書込が行われる。
【００９３】
図１５に示す例では、書込期間に３ライン単位でライン画像が書き込まれる。具体的には、第１サブフレーム期間ＳＦＬ１において、入力信号Ｉに含まれる複数のライン画像のうち、１行目、４行目、…、（Ｌ）行目、…のように、間２行を飛ばした３行周期の画素行に対して与えられたライン画像が３ライン単位で書き込まれる。また、第２サブフレーム期間ＳＦＬ２において、入力信号Ｉに含まれる複数のライン画像のうち、２行目、５行目、…、（Ｌ＋１）行目、…のように、間２行を飛ばした３行周期の画素行に対して与えられたライン画像が３ライン単位で書き込まれる。また、第３サブフレーム期間ＳＦＬ３において、入力信号Ｉに含まれる複数のライン画像のうち、３行目、６行目、…、（Ｌ＋２）行目、…のように、間２行を飛ばした３行周期の画素行に対して与えられたライン画像が３ライン単位で書き込まれる。このように、３サブフレーム期間の各々の書込期間で異なる画素信号に基づいたライン画像の書き込みの開始位置が、連続するサブフレーム期間の前後で１ラインずれる。
【００９４】
なお、異なるサブフレーム期間であっても、「異なる画素信号に基づいたライン画像」に該当しないライン画像の書き込み位置は同じである。具体的には、第２サブフレーム期間ＳＦＬ２及び第３サブフレーム期間ＳＦＬ３の書込期間中であっても、１行目の「Ｄ１」が反映されたライン画像は、第１サブフレーム期間ＳＦＬ１と同様のデータになる。また、第３サブフレーム期間ＳＦＬ３の書込期間中であっても、２行目の「Ｄ２」が反映されたライン画像は、第２サブフレーム期間ＳＦＬ２と同様のデータになる。
【００９５】
ここで、光源１１の色数が１である場合、第２サブフレーム期間ＳＦＬ２及び第３サブフレーム期間ＳＦＬ３の書込期間における１行目の「Ｄ１」の書き込み及び第２サブフレーム期間ＳＦＬ２の書込期間における１行目の「Ｄ２」の書き込みは省略可能である。なぜならば、光源１１の色数が１であるならば、１サブフレーム期間に含まれるフィールド期間の数も１である。従って、サブフレーム期間内における色の切り替わりに応じたライン画像の更新が不要になり、連続するサブフレーム期間を挟んでライン画像が変わらない画素行については、階調信号の更新が不要になるためである。
【００９６】
以上、サブフレーム期間の数が３である場合のライン画像の更新例について図１５を参照して説明したが、フィールド期間単位での３ライン画像の書き込みについても同様に実施可能である。その場合、図１５の第１サブフレーム期間ＳＦＬ１、第２サブフレーム期間ＳＦＬ２及び第３サブフレーム期間ＳＦＬ３をフィールド期間ＦＩ１、フィールド期間ＦＩ２及びフィールド期間ＦＩ３と読み替える。また、２フィールド期間単位等、複数フィールド期間単位での３ライン画像の書き込みについても同様に実施可能である。また、図１５を参照して説明したライン画像の書き込みと、実施形態１から実施形態４で説明したモード（ポジ（Ｐ）モード又はネガ（Ｎ）モード）の更新制御と輝度指標に応じた光源１１の点灯量の制御とを組み合わせてもよい。
【００９７】
以上、３ライン画像単位での書き込みについて図１５を参照して説明したが、サブフレーム期間がｎである場合、ｎライン単位でライン画像が書き込まれる。ここで、ｎは、２以上の自然数である。その場合であっても、連続するサブフレーム期間又はフィールド期間を挟んで生じる２回の書込期間の前後でライン画像の書き込みの開始位置が１ラインずれる。
【００９８】
なお、光源１１が有する複数の色の光源の組み合わせは、赤（Ｒ）、緑（Ｇ）及び青（Ｂ）の組み合わせに限られるものでない。例えば、光源１１は、シアン、マゼンタ及びイエローの組み合わせによる３色の各々に対応する光源を有していてもよい。
【００９９】
光源装置Ｌは、液晶表示パネルＰを照明可能であればよく、その具体的な配置については適宜変更可能である。例えば、光源装置Ｌは、フロントライトであってもよい。また、液晶表示パネルＰは、高分子分散型液晶を利用した液晶表示パネルに限られるものでなく、例えば、ＦＳＣを適用可能な透過型、半透過型又は反射型の表示パネル等、他の形態の表示パネルであってもよい。透過型の表示パネルである場合、光源装置Ｌは、表示面の背面側に設けられる。
【０１００】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１０１】
１  スイッチング素子
２  画素電極
３  液晶
４  信号線
５  走査線
５２  微粒子
６  共通電極
７  表示部
８  信号出力回路
９  走査回路
１０  ＶＣＯＭ駆動回路
１１  光源
１１Ｒ  第１光源
１１Ｇ  第２光源
１１Ｂ  第３光源
１２  光源駆動回路
１３  タイミングコントローラ
１４  電源回路
１５  入力回路
１５ａ  メモリ
１００  表示装置
Ｐ  液晶表示パネル
Ｌ  光源装置
【図１】
2020204693.tif 000003
【図２】
2020204693.tif 000004
【図３】
2020204693.tif 000005
【図４】
2020204693.tif 000006
【図５】
2020204693.tif 000007
【図６】
2020204693.tif 000008
【図７】
2020204693.tif 000009
【図８】
2020204693.tif 000010
【図９】
2020204693.tif 000011
【図１０】
2020204693.tif 000012
【図１１】
2020204693.tif 000013
【図１２】
2020204693.tif 000014
【図１３】
2020204693.tif 000015
【図１４】
2020204693.tif 000016
【図１５】
2020204693.tif 000017